(57)【特許請求の範囲】
【請求項１】
キャビネットに引き出し自在に設けられ、物品載置用の本体部が扁平な板状に形成されているサポートテーブルであって、上記の本体部が、物品を収納するためのトレー状の収納部材を備えて形成され、この収納部材が引き出し方向に沿って長い矩形状に、且つ本体部の左右方向の片側に設けられていることを特徴とするサポートテーブル。
【請求項２】
請求項１記載のサポートテーブルであって、収納部材が上下反転自在に、且つ反転したとき上になる下面が本体部の物品載置用の上面と略面一になる状態に設けられていることを特徴とするサポートテーブル。
【請求項３】
請求項２記載のサポートテーブルであって、収納部材が横軸を介して本体部に上下反転自在に設けられ、この収納部材の水平姿勢の保持と解除用の手動操作部材が本体部に設けられていることを特徴とするサポートテーブル。
【請求項４】
請求項３記載のサポートテーブルであって、手動操作部材が、本体部にスライド動作自在に設けられている操作レバーと、この操作レバーを押圧してその先端を収納部材の側面の凹部に係合させ収納部材を本体部に止め付けるバネとで形成されていることを特徴とするサポートテーブル。
【請求項５】
請求項４記載のサポートテーブルであって、操作レバーが本体部に形成されている横孔に外部操作自在に収納され、バネが操作レバーの軸部に外装されていることを特徴とするサポートテーブル。
【発明の詳細な説明】
【技術分野】
【０００１】
本発明はサポートテーブルに関し、更に詳しくは流し台等のキャビネットの天板直下の位置に引き出し自在に設けられ、食器や野菜等を載せたり、俎板代わりに使用するサポートテーブルに関するものである。
【背景技術】
【０００２】
この種の従来品としては、例えば特許文献１に記載されているように、ワークトップの立ち上がり面に補助テーブルを引き出し自在に形成している厨房装置がある。
また従来、キャビネットの横幅を広げることなく、引き出しテーブルの横幅が広くなるよう、引き出しテーブルを蝶番で折り畳み自在に形成し、使用時に、重合状のテーブルを横に開いてテーブル面を拡大できるよう形成しているものも知られている（例えば特許文献２参照）。
【０００３】
而して、従来のこの種のテーブルは、主として流し台等の天板の作業スペースを広げる機能を持つのに止まるものであった。
従って従来、例えば食品等をラッピングしたり、或いは包丁等を使用するときは、サポートテーブルの引き出し操作とは別に、この種の器具を、その収納箇所から扉等を開いて一々取り出さなければならない、という煩わしさがあった。
【特許文献１】特開平４−２８５５０５号公報
【特許文献２】特開２００４−１０５４８７号公報
【発明の開示】
【発明が解決しようとする課題】
【０００４】
本発明は、このような従来の実情に鑑み、提案されたものである。
従って本発明の解決しようとする技術的課題は、ワークトップを拡大できるサポートテーブルにおいて、ラッピングフィルムや調理器具等の使用を容易化し、使い勝手が良くなるよう形成したサポートテーブルを提供することにある。
【課題を解決するための手段】
【０００５】
本発明は、上記の課題を解決するため、次のような技術的手段を採る。
即ち本発明は、図１等に示されるように、キャビネット１に引き出し自在に設けられ、物品載置用の本体部２が扁平な板状に形成されているサポートテーブルであって、上記の本体部２が、物品３を収納するためのトレー状の収納部材４を備えて形成され、この収納部材４が引き出し方向に沿って長い矩形状に、且つ本体部２の左右方向の片側に設けられていることを特徴とする（請求項１）。
【０００６】
本発明の場合、収納部材４は、通常、本体部２に凹段差部や開口部１０（図２等参照）を形成し、この凹段差部や開口部１０に納められるものである。開口部１０に設ける方法としては、後述するように収納部材４を本体部２に枢着させたり、或いは例えば開口部１０の周囲に段差を形成し、この段差に支持させたり、また収納部材４の周囲にフランジを形成し、このフランジを介して開口部１０に収納部材４を吊り下げる方法がある。
【０００７】
また本発明の場合、収納部材４は、上下反転自在に、且つ反転したとき上になる下面４ａ（図８等参照）が本体部２の物品載置用の上面２ａと略面一になる状態に設けられているのが好ましい（請求項２）。
なぜならこれによると、収納部材４を反転させることで、本体部２の上面２ａを広く使用でき、使い勝手が良くなるからである。ここで、略面一とは、面一の場合は勿論のこと、テーブル面として使用する上で、支障にならない範囲であれば、僅かな段差がある場合も含まれる、ということを意味する。
【０００８】
また本発明は、図２、図６、図７等に示されるように、収納部材４が横軸９を介して本体部２に上下反転自在に設けられ、この収納部材４の水平姿勢の保持と解除用の手動操作部材１１が本体部２に設けられているのが好ましい（請求項３）。
なぜならこれによると、収納部材４の反転操作と本体部２への止め付け操作を、簡単、迅速にできるからである。
【０００９】
この場合、手動操作部材１１は、図６、図７等に示されるように、本体部２にスライド動作自在に設けられている操作レバー１１ａと、この操作レバー１１ａを押圧してその先端１１ａ１を収納部材４の側面４ｂの凹部４ｃに係合させ収納部材４を本体部２に止め付けるバネ１１ｂとで形成されているのが好ましい（請求項４）。
なぜならこれによると、操作レバー１１ａをバネ１１ｂの弾発力に抗して引くことで収納部材４の固定状態を直ぐに解除でき、また収納部材４を反転後、操作レバー１１ａを離すと、バネ１１ｂの作用で操作レバー１１ａが復元し、収納部材４を、簡単、迅速に固定できるからである。
【００１０】
またこの本発明の場合は、操作レバー１１ａが本体部２に形成されている横孔２ｂに外部操作自在に収納され、バネ１１ｂが操作レバー１１ａの軸部１１ａ２に外装されているのが好ましい（請求項５）。
なぜならこれによると、操作レバー１１ａの露出を最低限に抑えることができ、本体部２の厚みの範囲内で手動操作部材１１を設けることができるからである。
【発明の効果】
【００１１】
本発明は、このようにキャビネットに引き出し自在に設けられ、物品載置用の本体部が扁平な板状に形成されているサポートテーブルであって、上記の本体部が、物品を収納するためのトレー状の収納部材を備えて形成されているものである。
従って本発明の場合は、収納部材に、箱入りのラッピングフィルムや包丁等の調理用器具、調理用補助器具等を収納させることができる。
それ故これによれば、本体部の上面で調理等を行うとき、あらためて他の引き出し等からこの種の器具を取り出す煩わしさを解消でき、手近な位置から直ぐに取り出して使用でき、その分、使い勝手が良くなるものである。
【００１２】
また本発明の場合は、収納部材が引き出し方向に沿って長い矩形状に、且つ本体部の左右方向の片側に設けられている。
従って、本発明によると、収納部材に、物品としての、例えば箱入りの巻回状のラッピングフィルムを入れることができ、本体部の上面に皿等の被包装物を置いてラッピング作業を楽に行なうことができる。
【発明を実施するための最良の形態】
【００１３】
以下、本発明を実施するための最良の形態を説明する。
図１等において、１は、キャビネットとしての流し台である。本発明のサポートテーブルは、この実施形態では、この流し台の天板の直下に引き出し自在に設けられている。
【００１４】
２は、物品載置用の本体部である。この本体部２は、扁平な板状に形成されている。本発明品は、この本体部２が、物品３を収納するためのトレー状の収納部材４を備えて形成されている。なお、５は本体部２の両側に取り付けられているレール部材であり、６は本体部２の前板７に設けられている取っ手である。
【００１５】
物品３は、この実施形態では箱入りの巻回状のラッピングフィルムやアルミホイルである。上記の収納部材４は、本体部２の上面２ａに置いた皿等の被包装物８をラッピングし易くなるよう、引き出し方向に沿って長い矩形状に、且つ本体部２の左右方向の左側に設けられている。
【００１６】
また収納部材４は、図２等に示されるように、この実施形態では横軸９を介して本体部２に上下反転自在に、且つ反転したとき上になる下面４ａが本体部２の物品載置用の上面２ａと略面一になるよう設けられている。また収納部材４は、両側面４ｂが凸湾曲面状に形成され、本体部２に形成されている開口部１０に納められている。開口部１０の平面形状は、収納部材４と同一に形成され、両側面１０ａは収納部材４の両側面４ｂと摺接するよう、凹湾曲面状に形成されている。また横軸９は、この実施形態では収納部材４の前後の中央位置に、本体部２の引き出し方向に延びて設けられている。
【００１７】
また１１（図２、図６等参照）は、収納部材４の水平姿勢の保持と解除用の手動操作部材である。この手動操作部材１１は、本体部２にスライド動作自在に設けられている操作レバー１１ａと、この操作レバー１１ａを押圧してその先端１１ａ１を収納部材４の側面４ｂの凹部４ｃに係合させ収納部材４を本体部２に止め付けるバネ１１ｂとで形成されている。凹部４ｃは、収納部材４の両側面４ｂの対向位置に形成されている。操作レバー１１ａは、本体部２に形成されている横孔２ｂに外部操作自在に収納されている。またバネ１１ｂは、操作レバー１１ａの軸部１１ａ２に外装されている。
【００１８】
次に本発明の使用例を、図６〜図８等に従って説明する。
この実施形態の本発明品は、収納部材４に、上記の通り、物品３としての箱入りの巻回状のラッピングフィルムを入れて使用する。収納部材４は、トレー状に形成されているため、物品３としてのラッピングフィルムは収納部材４に係合し、外れることなく、円滑に引き出すことができる。
【００１９】
而して本体部２の上面２ａを広く使用したいときは、先ず使用者は、図６の状態から、操作レバー１１ａをバネ１１ｂの弾発力に抗して引き、操作レバー１１ａの先端１１ａ１を凹部４ｃから抜き去る。これにより、収納部材４は、固定状態が解除され、横軸９を中心に回転可能になる（図７参照）。
【００２０】
この状態で使用者は、収納部材４を、横軸９を中心に回転させ、下面４ａを上に反転させる。次に使用者は、操作レバー１１ａから手指を離す。すると、操作レバー１１ａは、バネ１１ｂの復元力で内方にスライドし、先端１１ａ１が再び凹部４ｃに係合する。これにより、収納部材４が固定され、下面４ａが本体部２の上面２ａと略面一の状態に配置される（図８参照）。
【００２１】
以上の処において、本発明の場合、収納部材４の大きさ、長さ等は自由である。また収納部材４は、本体部２と材質や色を違えてデザイン性を高めるよう形成されているのでも良い。
また上記の手動操作部材１１は、上例の構造に限定されるものではなく、要は、収納部材４を本体部２に固定でき、反転したいときは固定状態を解除できるよう構成されているのであれば良い。
【図面の簡単な説明】
【００２２】
【図１】本発明の好適な一実施形態を示す使用状態時の要部斜視図である。
【図２】本発明の分解斜視図である。
【図３】本発明の要部正面図である。
【図４】図３のＩＶ−ＩＶ線における断面図である。
【図５】本発明の引き出し時の要部平面図である。
【図６】図５のＶＩ−ＶＩ線における要部拡大断面図である。
【図７】収納部材の作用を説明するための要部拡大断面図である。
【図８】収納部材の作用を説明するための要部拡大断面図である。
【符号の説明】
【００２３】
１      キャビネット
２      本体部
３      物品
４      収納部材
【図１】
0005186828.tif 000002
【図２】
0005186828.tif 000003
【図３】
0005186828.tif 000004
【図４】
0005186828.tif 000005
【図５】
0005186828.tif 000006
【図６】
0005186828.tif 000007
【図７】
0005186828.tif 000008
【図８】
0005186828.tif 000009